(57)【特許請求の範囲】
【請求項１】
露光機構が組み込まれたユニット本体にパトローネ付き写真フイルムを装填する際に用いられるレンズ付きフイルムユニット用のフイルム装填用治具において、
パトローネから引き出した写真フイルムをスクロール形態に巻きつけてフイルムスクロールを作成する軸部材と、
この軸部材に軸方向に移動自在に設けられ、フイルムスクロールを軸部材ごとユニット本体に設けられたフイルムスクロール室に挿入した後、軸部材をフイルムスクロールから引き抜く際に、フイルムスクロールの端面を規制してフイルムスクロールをフイルムスクロール室に残留させるフイルム押さえ部材とからなり、
前記フイルム押さえ部材は、フイルムスクロールの端面が当接される当接面が平面であって厚みがフイルムスクロール室の底壁の厚みよりやや厚い凸部を備え、この凸部をフイルムスクロール室の底壁に形成した切欠に係合させた後、前記軸部材をフイルムスクロールから引き抜くことを特徴とするフイルム装填用治具。
【請求項２】
前記フイルム押さえ部材は、前記軸部材の周りに不回転に取り付けられていることを特徴とする請求項１記載のフイルム装填用治具。
【発明の詳細な説明】
【０００１】
【発明の属する技術分野】
本発明は、フイルム装填用治具に関し、更に詳しくはフイルムスクロール室に挿入したフイルムスクロールから軸部材を引き抜く際にフイルムスクロールが竹の子状になることを防止するフイルム装填用治具に関するものである。
【０００２】
【従来の技術】
簡易な露光機構を備えたユニット本体に製造段階で予めパトローネ付き写真フイルムを装填して写真フイルムの装填操作や巻戻し操作を不要にしたレンズ付きフイルムユニット，例えば「写ルンですＳｕｐｅｒ８００」（商品名）が市販されている。このユニット本体は、パトローネを収納するパトローネ収納室と、パトローネから引き出した写真フイルムをスクロール形態に巻いたフイルムスクロールが収納されるフイルムスクロール室とが形成され、簡易な露光機構が組み込まれた本体基部と、この本体基部の前面側を覆う前カバーと、パトローネ収納室とフイルムスクロール室の各底部を覆うそれぞれの蓋部がヒンジ部を介して一体成形され、本体基部の背面側を光密に覆う後カバーとから構成されている。
【０００３】
このレンズ付きフイルムユニットを組み立てるには、明室にて本体基部に露光機構を組み込んでから本体基部の前面側に前カバーを装着する。一方、暗室にて、パトローネから写真フイルムを引き出してこの先端をフイルム巻取り用の軸部材に係止し、軸部材を回転させて写真フイルムをスクロール形態に巻き取り、フイルムスクロールをつくる。暗室に移した本体基部のパトローネ収納室にパトローネを挿入してスプールの先端部を巻き上げノブと一体成形された係合軸に係合させてから、フイルムスクロールを軸部材ごとフイルムスクロール室に挿入する。
【０００４】
フイルムスクロール室の底壁には、軸部材を通すＵ字形の切欠が形成されている。一方の後カバーには、半円形の切欠を有する突起部が一体成形されている。この後カバーを本体基部の背面側に装着すると、後カバーの突起部がフイルムスクロール室の底壁のＵ字形の切欠に入り込んでほぼ円形の穴が形成され、この穴から軸部材が外部に突出した状態になる。この後、軸部材を引き抜くと、フイルムスクロールの端面がフイルムスクロール室の底壁と後カバーの突起部に規制され、フイルムスクロールがフイルムスクロール室に残留する。この後、後カバーの各蓋部をヒンジ部を中心に回動させて本体基部側に押しつけることにより、各蓋部がパトローネ収納室とフイルムスクロール室の各底部に爪係合し、各室が光密に閉じられる。このように組み立てられたユニット本体に紙製の外ケースを被せることによりレンズ付きフイルムユニットが完成される。
【０００５】
【発明が解決しようとする課題】
ところで、フイルムスクロールから軸部材を引き抜く際に、軸部材が上記穴の縁と擦れ合うと、この穴の縁が削られて樹脂のゴミが出る。このため、軸部材と穴の縁との間には、０．５ｍｍ程度のクリアランスが設けてある。ところが、このクリアランスがあるため、フイルムスクロールが軸部材に密着している最も内側の部分が軸部材と穴の縁との間から竹の子状になって本体基部の外に食み出すという現象が発生し、問題となっている。
【０００６】
本発明は、このような問題を解決するためになされたもので、フイルムスクロールが竹の子状になって本体基部から食み出すことを防止してフイルム装填を確実に行なうことができるフイルム装填用治具を提供することを目的とする。
【０００７】
【課題を解決するための手段】
上記目的を達成するために、本発明のフイルム装填用治具は、露光機構が組み込まれたユニット本体にパトローネ付き写真フイルムを装填する際に用いられるレンズ付きフイルムユニット用のフイルム装填用治具において、パトローネから引き出した写真フイルムをスクロール形態に巻きつけてフイルムスクロールを作成する軸部材と、この軸部材に軸方向に移動自在に設けられ、フイルムスクロールを軸部材ごとユニット本体に設けられたフイルムスクロール室に挿入した後、軸部材をフイルムスクロールから引き抜く際に、フイルムスクロールの端面を規制してフイルムスクロールをフイルムスクロール室に残留させるフイルム押さえ部材とからなり、前記フイルム押さえ部材は、フイルムスクロールの端面が当接される当接面が平面であって厚みがフイルムスクロール室の底壁の厚みよりやや厚い凸部を備え、この凸部をフイルムスクロール室の底壁に形成した切欠に係合させた後、前記軸部材をフイルムスクロールから引き抜くものである。
【０００８】
また、前記フイルム押さえ部材は、軸部材の周りに不回転に取り付けられたものである。
【００１０】
【発明の実施の形態】
レンズ付きフイルムユニットのユニット本体１１は、図２に示すように、露光機構を前部に取り付けるとともに、背面側にパトローネ付き写真フイルム１２を収納する本体基部１５と、この背面側を覆う後カバー１６と、本体基部３１の前面側を覆う前カバー１７とからなる。
【００１１】
本体基部１５には、アパーチャ１８を挟んで左右に、パトローネ２０から引き出した写真フイルム１２をスクロール形態に巻いたフイルムスクロール１２ａを収納するフイルムスクロール室２２と、パトローネ２０を収納するパトローネ収納室２３とが形成されている。また、フイルムスクロール室２２には、フイルムスクロール１２ａの端面位置を規制する底壁２４が形成されている。この底壁２４の中央部には、後カバー１６側が広いほぼ矩形状の切欠２４ａが形成され、詳しくは後述するように、フイルムスクロール１２ａをフイルム装填用治具２５ごとフイルムスクロール室２２に挿入できるようになっている。なお、本体基部１５の底部には、２個の係合爪２７ａ，２７ｂが形成されている。また、本体基部１５の上方には、２個の係合爪２７ｃ，２７ｄが形成されている。
【００１２】
後カバー１６の底側縁部の左右には、本体基部１５のフイルムスクロール室２２，パトローネ収納室２３の各底部を爪係合にて光密に閉じる蓋部２８，２９が厚みの薄いヒンジ部３１，３２を介してそれぞれ一体に形成されている。なお、底部３３には、前記係合爪２７ａ，２７ｂに対応した位置に係合孔３３ａ，３３ｂが形成されている。また、前記係合爪２７ｃ，２７ｄに対応した位置に係合爪３４ａ，３４ｂが形成されている。
【００１３】
前カバー１７の側部には、本体基部１５の側部に形成された係合爪２７ｅ，２７ｆと係合される切欠１７ａ，１７ｂが形成されている。また、前カバー１７の前側裏面には、係合爪１７ｃが形成され、これが図示しない本体基部１５の前部に形成された係合爪と係合される。
【００１４】
図１及び図３において、フイルム装填用治具２５は、円柱状をした先端部３６ａの周面に写真フイルム１２をスクロール形態に巻き付ける軸部材３６と、中央部に形成されたほぼ円形の開口３７ａを介して軸部材３６の軸方向に移動自在に取り付けられたドーナツ状のフイルム押さえ部材３７とからなる。前記軸部材３６の先端部３６ａには、写真フイルム１２の先端部を挿入するスリット３８が形成されている。このスリット３８は、写真フイルム１２の幅よりやや長く形成されている。
【００１５】
スリット３８の縁部３８ａ，３８ｂ，３８ｃ，３８ｄは、先端部３６ａの端面３６ｂから幅Ｄの最先端部３６ｃを除いて、円弧状に面取りされた形状に形成されている。フイルム押さえ部材３７には、開口３７ａの中央に向かって一対の突起部３７ｂ，３７ｃが突出形成されており、これらが、縁部３８ａ，３８ｂから形成されるスペース３９，縁部３８ｃ，３８ｄから形成されるスペース４０にそれぞれ入り込んでいる。これにより、フイルム押さえ部材３７が軸部材３６の回転方向に対して不回転であるとともに、面取りのない最先端部３６ｃに突起部３７ｂ，３７ｃが当接するため、この最先端部３６ｃがストッパとなってフイルム押さえ部材３７が軸部材３６から不用意に抜け落ちることが防止される。
【００１６】
フイルム押さえ部材３７の最先端部３６ｃ側の面には、平滑な当接面を有し、フイルムスクロール１２ａの端面を規制する４個の凸部３７ｄ〜３７ｇが形成されている。これらは、それぞれコーナー形状をしており、全体として１個の四角形を構成している。一方、底壁２４には、間口がやや広い台形状の切欠２４ａが形成されており、フイルムスクロール１２ａを軸部材３６ごとフイルムスクロール室２２に挿入した際に、図４に示すように、凸部３７ｄ〜３７ｇが底壁２４の切欠２４ａ内に挿脱自在に係合される。これにより、フイルム押さえ部材３７は底壁２４に対して回転せず、軸部材３６が回転しないから、これに巻き付けられているフイルムスクロール１２ａが回転せず、フイルム装填時に写真フイルム１２の巻取り量が変化しないという効果がある。
【００１７】
凸部３７ｄ〜３７ｇの厚みＤは、最先端部３６ｃの幅Ｄと同じにしてあるから、図５（Ｂ）に示すように、フイルム押さえ部材３７が最先端部３６ｃ寄りに最も移動した状態では、凸部３７ｄ〜３７ｇの当接面と軸部材３６の端面３６ｂとが同一面になる。したがって、軸部材３６をフイルムスクロール１２ａから完全に引き抜くまで、フイルム押さえ部材３７がフイルムスクロール１２ａの端面を確実に押さえておくことができる。なお、前記厚みＤは底壁２４の厚みより僅かに大きく設定してあるから、フイルムスクロール１２ａのフイルムスクロール室２２への挿入をスムーズに行なうことができる。
【００１８】
凸部３７ｄ〜３７ｇと軸部材３６の周面との隙間は、写真フイルム１２の１枚分の厚みより小さく設定されているから、フイルムスクロール１２ａの端面に凸部３７ｄ〜３７ｇの当接面を当接させた状態でフイルムスクロール１２ａから軸部材３６を引き抜く際に、軸部材３６の周面２５ｂに密着したフイルムスクロール１２ａの最も内側の写真フイルム１２が竹の子状になってフイルムスクロール室２２の外に突出されることが防止される。
【００１９】
ユニット本体１１を組み立てるには、暗室内にて、パトローネ２０から写真フイルム１２を引き出し、この先端部を軸部材３６の先端部３６ａのスリット３８に挿入する。そして、軸部材３６を回転させて写真フイルム１２を先端部３６ａの周面に巻きつけ、フイルムスクロール１２ａをつくる。図２に示す状態からパトローネ２０を降下させてゆき、パトローネ２０をパトローネ収納室２３に挿入し、パトローネ２０のスプール４２を巻上げノブ４４と一体成形された係合軸４４ａに係合させる。次に、軸部材３６ごとフイルムスクロール１２ａを降下させ、凸部３７ｄ〜３７ｇを切欠２４ａに係合させながら、フイルムスクロール１２ａをフイルムスクロール室２２に挿入する。
【００２０】
凸部３７ｄ〜３７ｇを切欠２４ａに係合させた後、治具等でフイルム押さえ部材３７を底壁２４に押しつけたまま、図５（Ａ）に示す状態から軸部材３６をフイルムスクロール１２ａから引き抜く矢印方向に引っ張る。このとき、フイルムスクロール１２ａの端面は凸部３７ｄ〜３７ｇに当接されており、写真フイルム１２が竹の子状になってフイルムスクロール室２２の外に突出されることがない。なお、図５に示す軸部材３６の点線は円弧状に面取りされた縁部３８ａ〜３８ｄの境界線を表している。
【００２１】
図５（Ｂ）に示す状態まで軸部材３６を引っ張ると、軸部材３６の端面３６ｂが凸部３７ｄ〜３７ｇの当接面と同一面になって、軸部材３６はフイルムスクロール１２ａから完全に引き抜かれ、フイルムスクロール１２ａはフイルムスクロール室２２に残留される。この後、フイルム押さえ部材３７の底壁２４への押圧を解除してフイルム装填用治具２５を取り除いてから、本体基部１５の背面側に後カバー１６を被せて本体基部１５側へ押圧する。これにより、本体基部１５の係合爪２７ａ，２７ｂに後カバー１６の係合孔３３ａ，３３ｂが、また係合爪２７ｃ，２７ｄに係合爪３４ａ，３４ｂが係合し、本体基部１５に後カバー１６が係止される。
【００２２】
この後、後カバー１６の蓋部２８，２９を回動させてフイルムスクロール室２２，パトローネ収納室２３を光密に閉じる。続いて、本体基部１５の前面側に前カバー１７を被せて押しつけると、本体基部１５の係合爪２７ｅ，２７ｆに前カバー１７の切欠１７ａ，１７ｂが係合し、また本体基部１５の図示しない係合爪と前カバー１７の係合爪１７ｃとが係合して前カバー１７が本体基部１５の前面に係止される。このようにフイルム装填が終了したユニット本体１１は、フイルム巻き上げや露光機構の作動テストを経た後、外ケースを被せられてレンズ付きフイルムユニットとして完成される。
【００２３】
以上説明した実施形態では、フイルムスクロールの端面に当接されるフイルム押さえ部材の凸部を全体として四角形としたので、フイルムスクロールの挿入時にフイルムスクロールの回転角度位置が変化せず、写真フイルムの巻取り量が変化しないという利点があるが、本発明はこれに限定されない。すなわち、凸部の形状は、フイルムスクロールの端面をほぼ均等に押しつけることができれば、例えば、円形や多角形等でもよい。なお、凸部を円形とした場合には、写真フイルムの巻取り量が変化しないように、軸部材の回転角度位置を規制するのが好ましい。
【００２４】
また、フイルムスクロールを軸部材ごとフイルムスクロール室に挿入してから、フイルム押さえ部材をフイルムスクロール室側へ押しつけるようにしたが、フイルムスクロールのフイルムスクロール室への挿入時に、フイルム押さえ部材がフイルムスクロール室の底壁に係止される構成としてもよい。この場合には、軸部材をフイルムスクロールから引き抜いた後、フイルム押さえ部材とフイルムスクロール室の底壁との係止が解除されるように構成する。また、上記実施形態では、軸部材を引き抜いてから後カバーを本体基部に装着したが、後カバーを装着してからフイルム装填用治具をフイルムスクロールから引き抜くようにしてもよい。この実施形態を図６に示す。
【００２５】
図６において、フイルムスクロール室５１の底壁５２と、後カバー５３の突起部５４とに、三角形状の切欠５２ａ，５２ｂ，５４ａ，５４ｂを形成し、これらにフイルム押さえ部材３７の凸部３７ｆ，３７ｇ，３７ｅ，３７ｄが嵌まり込むようにしてある。これにより、フイルム押さえ部材３７の回転がより確実に防止されるから、フイルムスクロールの回転角度を一定に保ったままでフイルム装填を行なうことができる。
【００２６】
【発明の効果】
以上説明したように、本発明によれば、パトローネから引き出した写真フイルムをスクロール形態に巻きつけてフイルムスクロールを作成する軸部材と、この軸部材に軸方向に移動自在に設けられ、フイルムスクロールを軸部材ごとユニット本体に設けられたフイルムスクロール室に挿入した後、軸部材をフイルムスクロールから引き抜く際に、フイルムスクロールの端面を規制してフイルムスクロールをフイルムスクロール室に残留させるフイルム押さえ部材とから構成したので、軸部材をフイルムスクロールから引き抜く際に、フイルムスクロールの端面が竹の子状に突出されることなくフイルム装填を行なうことができる。
【００２７】
また、フイルム押さえ部材は、フイルムスクロールの端面との当接面が平面であって厚みがフイルムスクロール室の底壁の厚みよりやや厚い凸部を備え、この凸部をフイルムスクロール室の底壁に形成した切欠に係合させた後、軸部材をフイルムスクロールから引き抜くようにしたので、フイルムスクロールのフイルムスクロール室への挿入がスムーズに行なえるとともに、フイルムスクロールの端面がフイルムスクロール室の内側に留まるから、確実にフイルムスクロールをフイルムスクロール室内に残留させることができる。
【００２８】
また、フイルム押さえ部材は、軸部材の周りに不回転に取り付けたので、フイルム押さえ部材の凸部をフイルムスクロール室の底壁の切欠に係合させてから軸部材をフイルムスクロールから引き抜くようにすると、フイルムスクロールをフイルムスクロール室に挿入してから軸部材を引き抜くまでの間、軸部材は全く回転することがない。したがって、写真フイルムの巻取り量が変化せず、常に一定した長さの写真フイルムをフイルムスクロール室に装填することができる。
【図面の簡単な説明】
【図１】本発明のフイルム装填用治具を示す外観斜視図である。
【図２】本発明のフイルム装填用治具を用いてフイルム装填を行なうレンズ付きフイルムユニットの分解斜視図である。
【図３】図１に示した軸部材とフイルム押さえ部材との関係を示す説明図である。
【図４】フイルムスクロール挿入時のフイルム押さえ部材の凸部とフイルムスクロール室の底壁との関係を示すフイルムスクロール室の断面図である。
【図５】軸部材をフイルムスクロールから引き抜く際の軸部材とフイルム押さえ部材，フイルムスクロールの関係を示す説明図である。
【図６】フイルムスクロール室の底壁と後カバーの突起部とにフイルム押さえ部材の凸部が係合される切欠を設けた実施形態を示す説明図である。
【符号の説明】
１１  ユニット本体
１２  写真フイルム
１２ａ  フイルムスクロール
１５  本体基部
２２  フイルムスクロール室
２４，５２  底壁
２４ａ，５２ａ，５２ｂ，５２ｃ，５２ｄ  切欠
２５  フイルム装填用治具
３６  軸部材
３７  フイルム押さえ部材
３７ｂ，３７ｃ  突起部
３７ｄ〜３７ｇ  凸部
３８  スリット
５４  突起部
【図１】
0003614953.tif 000002
【図２】
0003614953.tif 000003
【図３】
0003614953.tif 000004
【図４】
0003614953.tif 000005
【図５】
0003614953.tif 000006
【図６】
0003614953.tif 000007